(57)【要約】【課題】入退室管理システムで使用するシステム携帯端末を利用した、利用者の健康管理を行うことを可能にした健康管理機能付入退室管理システムを提供する。【解決手段】携帯する利用者の個人認証データを記憶した演算処理機能を有するシステム携帯端末の前記個人認証データを、入退室管理領域のドアの入口に設けられた入退室管理端末装置で読み取り、管理サーバで認証処理を行い認証成立の際に前記ドアのドア施錠解錠装置を解錠させる入退室管理システムにおいて、前記システム携帯端末が、搭載した活動量検知部で前記利用者の活動量を検知して記憶し、前記入退室管理端末装置が、前記システム携帯端末から前記個人認証データと共に前記活動量を読み取り、前記管理サーバが、読み取った前記活動量と予め設定された標準活動量との比較結果を報知する健康管理処理を行う。【選択図】図１
2016206706.tif 000002
【特許請求の範囲】
【請求項１】
携帯する利用者の個人認証データを記憶した演算処理機能を有するシステム携帯端末の前記個人認証データを、入退室管理領域のドアの入口に設けられた入退室管理端末装置で読み取り、管理サーバで認証処理を行い認証成立の際に前記ドアのドア施錠解錠装置を解錠させる入退室管理システムにおいて、
前記システム携帯端末が、搭載した活動量検知部で前記利用者の活動量を検知して記憶し、
前記入退室管理端末装置が、前記システム携帯端末から前記個人認証データと共に前記活動量を読み取り、
前記管理サーバが、読み取った前記活動量と予め設定された標準活動量との比較結果を報知する健康管理処理を行う、
健康管理機能付入退室管理システム。
【請求項２】
前記システム携帯端末が社員証である、請求項１に記載の健康管理機能付入退室管理システム。
【請求項３】
前記システム携帯端末がＩＣカード型ＩＤカードからなる、請求項１または２に記載の健康管理機能付入退室管理システム。
【請求項４】
前記システム携帯端末が、前記活動量検知部として加速度センサを搭載し、活動量として利用者の歩数を計数し記憶し、
前記管理サーバが、前記健康管理処理として、読み取った前記活動量である利用者の歩数から消費カロリーを運動量として算出し、予め設定された標準消費カロリーとの比較結果を報知する、請求項１から３までのいずれか１項に記載の健康管理機能付入退室管理システム。
【請求項５】
前記システム携帯端末が、前記活動量検知部として加速度センサおよび圧力センサを搭載し、前記加速度センサの出力変化および前記圧力センサから得られる気圧の変化から、活動量として利用者の上り歩数、平坦歩数、下り歩数を判定してそれぞれ計数し記憶し、
前記管理サーバが、前記健康管理処理として、読み取った前記活動量である利用者の上り歩数、平坦歩数、下り歩数に予め設定された上り、平坦、下りのそれぞれの１歩当りカロリーを掛けた後に加算した消費カロリーを運動量として算出し、予め設定された標準消費カロリーとの比較結果を報知する、請求項１から３までのいずれか１項に記載の健康管理機能付入退室管理システム。
【請求項６】
前記管理サーバが、前記健康管理処理において比較結果を前記入退室管理端末装置から報知させる、請求項１から５までのいずれか１項に記載の健康管理機能付入退室管理システム。
【請求項７】
前記管理サーバが、前記認証処理で認証が成立した時に前記健康管理処理を行う、請求項１から６までのいずれか１項に記載の健康管理機能付入退室管理システム。
【請求項８】
前記管理サーバに、前記システム携帯端末から前記個人認証データおよび前記活動量を読み取り可能な運動療法制御部を備えた運動療法装置が接続され、前記運動療法装置に対して認証成立の際に前記健康管理処理を行う、請求項１から６までのいずれか１項に記載の健康管理機能付入退室管理システム。
【請求項９】
前記運動療法装置が、前記健康管理処理の算出された運動量と標準消費カロリーとの比較結果に従った前記報知指令に基づき利用者に必要な運動を行わせるための運動プログラムを作成し、作成した運動プログラムに従って前記運動療法装置の駆動部を制御する運動プログラム作成部を備えた、請求項８に記載の健康管理機能付入退室管理システム。
【発明の詳細な説明】
【技術分野】
【０００１】
この発明は、入退室管理と併せて利用者の健康管理を行うことを可能にする健康管理機能付入退室管理システムに関する。
【背景技術】
【０００２】
従来、利用者の健康管理を行う運動支援システムとして、ユーザが装着するセンサ端末と、前記センサ端末と通信可能に接続された計算機とを備え、前記センサ端末は、少なくとも加速度センサを有し、前記計算機は、前記加速度センサが検出した加速度の時系列データに基づいて、当該センサ端末を装着したユーザの運動量の時系列データを計算し、運動量の時系列データをパラメータとした多変数解析によって、当該センサ端末を装着したユーザの１日の合計運動量を予測するものがある(例えば下記特許文献１参照)。
【０００３】
より具体的には、ユーザ側は、ユーザが装着するセンサデバイスと、センサデバイスと通信する携帯情報端末を備え、計算機側は、ネットワーク(例えば、インターネット)に接続された無線基地局を介して携帯情報端末と通信するサーバからなる。また解析結果は携帯情報端末に送られ、ユーザが確認することができる。
【先行技術文献】
【特許文献】
【０００４】
【特許文献１】特開２０１３−２３９１１５号公報
【発明の概要】
【発明が解決しようとする課題】
【０００５】
上記のような従来の運動支援システムを利用する場合には、ユーザはセンサデバイスを装着すると共に、通信およびモニタ用の携帯情報端末を準備する必要があった。
センサデバイス等からなる活動量計などの健康管理機器は健康増進に有用である。しかしながら，通常身につけるものとは別の健康管理機器をいつも持ち歩く必要があり，日常生活において、さらには特に通勤時や勤務時にはこのような健康管理機器を持っていることは面倒であるという問題があった。
【０００６】
この発明は、上記の課題を解決するためになされたものであり、勤務先等に設置された入退室管理システムで使用するＩＣカード型のＩＤカード等からなるシステム携帯端末を利用した、利用者の健康管理を行うことを可能にした健康管理機能付入退室管理システムを提供することを目的とする。
【課題を解決するための手段】
【０００７】
この発明は、携帯する利用者の個人認証データを記憶した演算処理機能を有するＩＣカード型のＩＤカード等からなるシステム携帯端末の前記個人認証データを、勤務先等に設置された入退室管理領域のドアの入口に設けられた入退室管理端末装置で読み取り、管理サーバで認証処理を行い認証成立の際に前記ドアのドア施錠解錠装置を解錠させる入退室管理システムにおいて、前記システム携帯端末が、搭載した活動量検知部で前記利用者の活動量を検知して記憶し、前記入退室管理端末装置が、前記システム携帯端末から前記個人認証データと共に前記活動量を読み取り、前記管理サーバが、読み取った前記活動量と予め設定された標準活動量との比較結果を報知する健康管理処理を行う、健康管理機能付入退室管理システムにある。
【発明の効果】
【０００８】
この発明では、入退室管理システムで使用するシステム携帯端末を利用した、利用者の健康管理を行うことを可能にした健康管理機能付入退室管理システムを提供できる。
【図面の簡単な説明】
【０００９】
【図１】この発明による健康管理機能付入退室管理システムの概略構成図である。
【図２】図１の利用者が携帯する社員証の構成の一例を示す構成図である。
【図３】図１の各入退室管理端末装置の構成の一例を示す構成図である。
【図４】図１の管理サーバの構成の一例を示す構成図である。
【図５】この発明による健康管理機能付入退室管理システムの概略的動作を示すフロチャートである。
【図６】図１の運動療法装置の構成の一例を示す構成図である。
【発明を実施するための形態】
【００１０】
以下、この発明による健康管理機能付入退室管理システムを各実施の形態に従って図面を用いて説明する。なお、各実施の形態において、同一もしくは相当部分は同一符号で示し、重複する説明は省略する。
また以下では一例として、職場に設置けられた近距離無線通信を行う形態の入退室管理システムの例について説明する。
【００１１】
実施の形態１．
図１はこの発明による健康管理機能付入退室管理システムの概略構成図である。利用者３は通常、入退室管理システムが設置された職場で勤務している間、またはさらに家と職場の往復の通勤の間も含めて、システム携帯端末である社員証２を携帯している。社員証２は、演算処理機能を有する携帯端末であればよいが、例えば、非接触ＩＣカード型ＩＤカードからなるものとする。
職場の入退室管理領域に設けられたドア１２の両方向のそれぞれの入口(入退室管理領域の外側の入口だけでもよい)付近には入退室管理端末装置１１が設けられている。ドア１２には、通常はドアをロック状態(施錠状態)とし、社員証２による個人認証が成立した場合に、ドアのロック状態を解除してアンロック状態(解錠状態)にするドア施錠解錠装置１２ａが設けられている。管理サーバ１０は例えば、２つの入退室管理端末装置１１、およびドア施錠解錠装置１２ａに接続されて、利用者３に対する入退室管理処理と共に健康管理処理も行う。
【００１２】
図２は図１の利用者３が携帯する社員証２の構成の一例を示す構成図である。
送受信アンテナ２２は、後述する図３の入退室管理端末装置１１の送受信アンテナ１１２等と近距離無線通信を行う。
加速度センサ２３(活動量検知部)は、社員証２での加速度を検出する。
圧力センサ２４(活動量検知部)は、社員証２における気圧を検出する。
電池２５は、社員証２での電源であり、外部から充電可能な二次電池であってもよい。
制御部２１は、ハードウェアとして例えばプロセッサと、プロセッサで実行するプログラムや処理に使用する情報やデータを格納したメモリとで構成され、図２はこれを機能ブロックで示したものである。２１ａ−２１ｅで示す各機能ブロックはプログラムに対応する。記憶部２１ｅはメモリにも対応している。
【００１３】
図３は図１の各入退室管理端末装置１１の構成の一例を示す構成図である。
送受信アンテナ２２は、図２の社員証２の送受信アンテナ２２と近距離無線通信を行う。
報知部１１３は、入退室管理処理や健康管理処理の結果等を利用者３に音や表示で知らせる表示器またはスピーカからなる。
制御部１１１は、ハードウェアとして例えばプロセッサと、プロセッサで実行するプログラムや処理に使用する情報やデータを格納したメモリとで構成され、図３はこれを機能ブロックで示したものである。１１１ａ−１１１ｃで示す各機能ブロックはプログラムに対応する。記憶部１１１ｃはメモリにも対応している。
【００１４】
図４は図１の管理サーバ１０の構成の一例を示す構成図である。管理サーバ１０は、各入退室管理端末装置１１、ドア施錠解錠装置１２ａ、運動療法装置４の運動療法制御部４ａに接続されている。
制御部１０１は、ハードウェアとして例えばプロセッサと、プロセッサで実行するプログラムや処理に使用する情報やデータを格納したメモリとで構成され、図４はこれを機能ブロックで示したものである。１０１ａ−１０１ｃで示す各機能ブロックはプログラムに対応する。記憶部１０１ｃはメモリにも対応している。データベース１０２はシステム全体の個人認証データ、活動量、運動量、計測期間等を含む個人情報データを記憶管理する容量の大きいメモリである。
【００１５】
次に動作を説明する。最初の既存の入退室管理制御について説明する。
図１において、社員証２を携帯した利用者３が入退室管理端末装置１１に近づくと、または利用者３が社員証２を入退室管理端末装置１１に近づけると、入退室管理端末装置１１の送受信アンテナ１１２が発生している電波に応答して社員証２が起動し、社員証２と入退室管理端末装置１１との間で近距離無線通信が可能となる。
【００１６】
通信が可能となると、例えば図３の入退室管理端末装置１１で、個人情報データ伝送制御部１１１ａが、社員証２に対して個人認証データであるＩＤ番号の読み出し指令を送る。図２の社員証２は、個人情報データ伝送制御部２１ａが、読出し指令に応答して、記憶部２１ｅに予め格納された社員証２の利用者３の個人認証データであるＩＤ番号を送受信アンテナ２２から送信する。
【００１７】
なお、入退室管理端末装置１１でのＩＤ番号の取得に関しては、社員証２と入退室管理端末装置１１との間で通信が可能となると、社員証２の個人情報データ伝送制御部２１ａが自ら、記憶部２１ｅに格納されたＩＤ番号を送受信アンテナ２２から送信するようにしてもよい。
【００１８】
図３の入退室管理端末装置１１では、社員証２からのＩＤ番号を送受信アンテナ１１２で受けて、個人情報データ伝送制御部１１１ａが、ＩＤ番号を管理サーバ１０へ伝送する。
【００１９】
図４の管理サーバ１０では、入退室管理制御部１０１ａが、記憶部１０１ｃまたはデータベース１０２に予め格納されている個人情報データのうちの、ドア１２の通行が許可されている利用者のＩＤ番号群である個人認証データ群を検索して、社員証２からのＩＤ番号が個人認証データ群内に含まれていれば認証成立と判断する。認証成立であれば、入退室管理制御部１０１ａが、ドア施錠解錠装置１２ａに解除指令を送る。解除指令を受けたドア施錠解錠装置１２ａはドア１２のロックを解錠する。これによる利用者３はドア１２を通行することが可能となる。
【００２０】
次に、健康管理制御について説明する。
(加速度センサ)
(歩数)
図２の社員証２では、活動量管理部２１ｂの歩数計数部２１ｂ１は、利用者の活動量として、加速度センサ２３の出力から利用者３の歩行による歩数を計数する。歩数は加速度センサ２３の出力の計数値(歩行を判定するための予め設定された値以上の出力のカウント値)で得られる。そして個人情報データとして計数された歩数を、タイマ２１ｄから得られる計測期間と共に、記憶部２１ｅに記憶、蓄積する。
【００２１】
そして職場の入退室の際に、入退室管理端末装置１１により社員証２からＩＤ番号と共に歩数、計測期間が読み出され、管理サーバ１０へと送られる。図４の管理サーバ１０では、例えば個人認証成立時に、健康管理制御部１０１ｂの管理処理部１０１ｂａにより、読み出された歩数と予め記憶部１０１ｃに格納されていた各期間(例えば１日、１週間、１０日間、１ヶ月間、３ヶ月間、…等)のそれぞれの標準歩数のうちの計測期間に対応する期間の標準歩数との比較を行い、比較結果の報知指令を入退室管理端末装置１１へ送る。
比較結果の一例としては、計測された歩数が標準歩数の１００％以上ならＡランク、８０％以上１００％未満ならＢランク、８０％未満ならＣランクとする。
【００２２】
図３の入退室管理端末装置１１の報知制御部１１１ｂは、送られて来た報知指令の比較結果に従って、報知部１１３により利用者３に健康管理処理の結果を、音または表示で伝える。
【００２３】
(消費カロリー、歩行距離)
また、図４の管理サーバ１０の健康管理制御部１０１ｂは、運動量算出部１０１ｂｂを備える。運動量算出部１０１ｂｂの消費カロリー算出部１０１ｂｂ１は、社員証２から読み出された歩数から
【００２４】
消費カロリー＝歩数×１歩当りカロリー
【００２５】
により運動量として消費カロリーを求める。管理処理部１０１ｂａは、例えば個人認証成立時に、求めた消費カロリーと、予め記憶部１０１ｃに格納されていた各期間(例えば１日、１週間、１０日間、１ヶ月間、３ヶ月間、…等)のそれぞれの標準消費カロリーのうちの計測期間に対応する期間の標準消費カロリーとの比較を行い、比較結果の報知指令を入退室管理端末装置１１へ送る。入退室管理端末装置１１は報知を行う。なお、１歩当りカロリーは予め記憶部１０１ｃに格納しておいてもよい。
【００２６】
また運動量算出部１０１ｂｂの歩行距離算出部１０１ｂｂ２は、社員証２から読み出された歩数から
【００２７】
歩行距離＝歩数×歩幅
【００２８】
により運動量として歩行距離を求める。管理処理部１０１ｂａは、例えば個人認証成立時に、求めた歩行距離と、予め記憶部１０１ｃに格納されていた各期間(例えば１日、１週間、１０日間、１ヶ月間、３ヶ月間、…等)のそれぞれの標準歩行距離のうちの計測期間に対応する期間の標準歩行距離との比較を行い、比較結果の報知指令を入退室管理端末装置１１へ送る。入退室管理端末装置１１は報知を行う。なお、歩幅は予め記憶部１０１ｃに格納しておいてもよい。
【００２９】
(圧力センサ)
(上り、平坦、下り)
さらに図２の社員証２は気圧を検出するための圧力センサ２４を備える。活動量管理部２１ｂの昇降判定部２１ｂ２は、圧力センサ２４の出力の気圧変化から、歩行が、上り歩行、平坦歩行、下り歩行のいずれであるかを判定する。そして個人情報データとして、歩数を上り歩数、平坦歩数、下り歩数として、タイマ２１ｄから得られる計測期間と共に、記憶部２１ｅに、記憶、蓄積する。
【００３０】
そして職場の入退室の際に、入退室管理端末装置１１により社員証２からＩＤ番号と共に歩数(上り歩数、平坦歩数、下り歩数)、計測期間が読み出され、管理サーバ１０へと送られる。
【００３１】
図４の管理サーバ１０の運動量算出部１０１ｂｂの消費カロリー算出部１０１ｂｂ１の場合は、例えば個人認証成立時に、社員証２から読み出された歩数(上り歩数、平坦歩数、下り歩数)から、例えば以下の式から消費カロリーを算出する。
【００３２】
消費カロリー＝上り歩数×上り１歩当りカロリー
＋平坦歩数×平坦１歩当りカロリー
＋下り歩数×下り１歩当りカロリー
【００３３】
なお、上り１歩当りカロリー、平坦１歩当りカロリー、および下り１歩当りカロリーは予め記憶部１０１ｃに格納しておいてもよい。
【００３４】
また運動量算出部１０１ｂｂの歩行距離算出部１０１ｂｂ２の場合は、例えば個人認証成立時に、例えば以下の式から歩行距離を算出する。
【００３５】
歩行距離＝上り歩数×上り歩幅
＋平坦歩数×平坦歩幅
＋下り歩数×下り歩幅
【００３６】
なお、上り歩幅、平坦歩幅、および下り歩幅は予め記憶部１０１ｃに格納しておいてもよい。
【００３７】
そして上記と同様に、健康管理制御部１０１ｂの管理処理部１０１ｂａにより、それぞれ、上り歩行、平坦歩行、下り歩行を考慮して求めた上記消費カロリー、歩行距離と、予め記憶部１０１ｃに格納されていた、標準消費カロリー、標準歩行距離の、計測期間に対応する期間の標準値との比較を行い、比較結果の報知指令を入退室管理端末装置１１へ送り、入退室管理端末装置１１で報知を行う。
【００３８】
なお、図４の管理サーバ１０の運動量算出部１０１ｂｂの機能を、図２に破線で示すように運動量管理部２１ｃとして社員証２に持たせてもよい。この場合、社員証２の記憶部２１ｅには、活動量である歩数の代わり、消費カロリー算出部２１ｃ１で算出された消費カロリー、歩行距離算出部２１ｃ２で算出された歩行距離、からなる運動量が記憶される。そして、運動量とこれに対応する計測期間が、個人認証データであるＩＤ番号と共に入退室管理端末装置１１により読み出される。またこの際、記憶部２１ｅには、１歩当りカロリー、上り１歩当りカロリー、平坦１歩当りカロリー、および下り１歩当りカロリー、また、歩幅、上り歩幅、平坦歩幅、および下り歩幅、等の運動量を求めるためのデータを格納しておく。
しかしながら、運動量を算出する機能は管理サーバ１０側に設けた方が、社員証２での処理負荷が軽減できる。
【００３９】
図５は、この発明による健康管理機能付入退室管理システムの概略的動作を示すフロチャートである。上述のように管理サーバ１０は、入退室管理処理を行い(ステップＳ１)、認証が成立したら(ステップＳ２)、健康管理処理を行う(ステップＳ３)。
【００４０】
なおこの発明による健康管理機能付入退室管理システムは図１に示すように、管理サーバ１０は、特に病気や怪我を患っている利用者に適度な運動を行わせて体力の回復させるための運動療法装置４(例えばベダルを漕ぐエルゴメータまたはトレッドミル)にも接続され得る。
【００４１】
図６は図１の運動療法装置４の構成の一例を示す構成図である。
運動療法制御部４ａにおいて、送受信アンテナ４２は、図２の社員証２の送受信アンテナ２２と近距離無線通信を行う。報知部４３は、入退室管理処理や健康管理処理の結果等を利用者３に音や表示で知らせる表示器またはスピーカからなる。
制御部４１は、ハードウェアとして例えばプロセッサと、プロセッサで実行するプログラムや処理に使用する情報やデータを格納したメモリとで構成され、図６はこれを機能ブロックで示したものである。４１ａ−４１ｄで示す各機能ブロックはプログラムに対応する。記憶部４１ｄはメモリにも対応している。また機能ブロックとしてさらに、運動プログラム作成部４１ｅを備える。
また、駆動部４４は利用者に運動を実行させる機能を備える。例えば運動療法装置４が利用者にベダルを漕がせて運動負荷を与えるエルゴメータ等の場合、駆動部４４はベダルに好ましい回転及び負荷を調節して与えることが可能なモータ等を含む。
【００４２】
運動療法制御処理部４１ａは、上述の利用者に体力の回復を目的とする運動をさせるために運動療法装置４を制御する。そしてその他の個人情報データ伝送制御部４１ｂ、報知制御部４１ｃ、記憶部４１ｄでは図３の入退室管理端末装置１１と同様な処理を行う。また４１ｅは
【００４３】
すなわち社員証２が運動療法制御部４ａに近づき、双方の送受信アンテナ２２，４２間で通信が可能になると、個人情報データ伝送制御部４１ｂが、社員証２に対して記憶部２１ｅに記憶されている個人認証データであるＩＤ番号、計測された活動量、運動量、計測期間等の個人情報データの読み出しを行う。読み出された個人情報データは管理サーバ１０へ送られる。管理サーバ１０では上述の認証成立の際にドア施錠解錠は行わずに健康管理処理が行われ、処理結果である報知指令が運動療法制御部４ａに送られてくる。報知制御部４１ｃは、送られて来た報知指令の比較結果に従って、報知部４３により利用者３に健康管理処理の結果を、音または表示で伝える。
一方で、運動プログラム作成部４１ｅは、報知指令に基づき利用者に必要な運動を行わせるための運動プログラムを作成する。そして作成した運動プログラムに従って駆動部４４を制御することにより、利用者に適切な運動プログラムを実行させる。
【００４４】
なお図１では説明の便宜上、管理サーバ１０に１つのドア１２に対する入退室管理端末装置１１およびドア施錠解錠装置１２ａ、１つの運動療法装置４が接続されている場合を示しているが、この発明による健康管理機能付入退室管理システムでは、管理サーバ１０には複数のドア１２に対するそれぞれの入退室管理端末装置１１およびドア施錠解錠装置１２ａ、さらに複数の運動療法装置４が接続可能で、それぞれに対して上述の管理処理を行うことが可能である。
【００４５】
また、上記説明では社員証２と入退室管理端末装置１１、社員証２と運動療法装置４の運動療法制御部４ａ、の間をデータの授受を非接触の近距離無線通信で行っていたが、双方にコネクタ等を設けて有線でデータの授受を行ってもよい。
【００４６】
また、運動療法装置４は一般に、エルゴメータやトレッドミルのことを指すが、利用者に運動を行わせる機能が備わった装置であれば、これに限定されるものではない。
【００４７】
なお、管理サーバ１０の活動量と予め設定された標準活動量との比較結果の報知は、例えば管理サーバ１０が有線または無線のネットワーク(図示省略)に接続されていて、該当利用者のネットワーク端末に比較結果を健康管理処理の結果として送る(例えばメール)ようにしてもよい。この場合、管理サーバ１０は、利用者の個人認証データ、活動量、運動量、計測期間等を含む個人情報データにさらに、ネットワーク端末のアドレスを格納しておけばよい。
【符号の説明】
【００４８】
２  社員証、３  利用者、４  運動療法装置、４ａ  運動療法制御部、
１０  管理サーバ、１１  入退室管理端末装置、１２  ドア、
１２ａ  ドア施錠解錠装置、２１  制御部、２１ａ  個人情報データ伝送制御部、
２１ｂ  活動量管理部、２１ｂ１  歩数計数部、２１ｂ２  昇降判定部、
２１ｃ  運動量管理部、２１ｃ１  消費カロリー算出部、２１ｃ２  歩行距離算出部、
２１ｄ              タイマ、２１ｅ  記憶部、２２  送受信アンテナ、２３  加速度センサ、
２４  圧力センサ、２５  電池、４１  制御部、４１ａ  運動療法制御処理部、
４１ｂ  個人情報データ伝送制御部、４１ｃ  報知制御部、４１ｄ  記憶部、
４１ｅ  駆動部、４２  送受信アンテナ、４３  報知部、１０１  制御部、
１０１ａ  入退室管理制御部、１０１ｂ  健康管理制御部、１０１ｂａ  管理処理部、
１０１ｂｂ  運動量算出部、１０１ｂｂ１  消費カロリー算出部、
１０１ｂｂ２  歩行距離算出部、１０１ｃ  記憶部、１０２  データベース、
１１１  制御部、１１１ａ  個人情報データ伝送制御部、１１１ｂ  報知制御部、
１１１ｃ  記憶部、１１２  送受信アンテナ、１１３  報知部。
【図１】
2016206706.tif 000003
【図２】
2016206706.tif 000004
【図３】
2016206706.tif 000005
【図４】
2016206706.tif 000006
【図５】
2016206706.tif 000007
【図６】
2016206706.tif 000008
【手続補正書】
【提出日】平成28年5月2日(2016.5.2)
【手続補正１】
【補正対象書類名】明細書
【補正対象項目名】０００７
【補正方法】変更
【補正の内容】
【０００７】
この発明は、携帯する利用者の個人認証データを記憶した演算処理機能を有するシステム携帯端末の前記個人認証データを、入退室管理領域のドアの入口に設けられた入退室管理端末装置で読み取り、管理サーバで認証処理を行い認証成立の際に前記ドアのドア施錠解錠装置を解錠させる入退室管理システムにおいて、前記システム携帯端末が、搭載した活動量検知部で前記利用者の活動量を、前記利用者が前記システム携帯端末を携帯している期間、検知して記憶し、前記入退室管理端末装置が、前記システム携帯端末から前記個人認証データと共に前記活動量を読み取り、前記管理サーバが、読み取った前記活動量と前記活動量の計測期間に対応する予め設定された標準活動量との比較結果を報知する健康管理処理を行う、健康管理機能付入退室管理システムにある。
【手続補正２】
【補正対象書類名】特許請求の範囲
【補正対象項目名】全文
【補正方法】変更
【補正の内容】
【特許請求の範囲】
【請求項１】
携帯する利用者の個人認証データを記憶した演算処理機能を有するシステム携帯端末の前記個人認証データを、入退室管理領域のドアの入口に設けられた入退室管理端末装置で読み取り、管理サーバで認証処理を行い認証成立の際に前記ドアのドア施錠解錠装置を解錠させる入退室管理システムにおいて、
前記システム携帯端末が、搭載した活動量検知部で前記利用者の活動量を、前記利用者が前記システム携帯端末を携帯している期間、検知して記憶し、
前記入退室管理端末装置が、前記システム携帯端末から前記個人認証データと共に前記活動量を読み取り、
前記管理サーバが、読み取った前記活動量と前記活動量の計測期間に対応する予め設定された標準活動量との比較結果を報知する健康管理処理を行う、
健康管理機能付入退室管理システム。
【請求項２】
前記システム携帯端末が社員証である、請求項１に記載の健康管理機能付入退室管理システム。
【請求項３】
前記システム携帯端末がＩＣカード型ＩＤカードからなる、請求項１または２に記載の健康管理機能付入退室管理システム。
【請求項４】
前記システム携帯端末が、前記活動量検知部として加速度センサを搭載し、活動量として利用者の歩数を計数し記憶し、
前記管理サーバが、前記健康管理処理として、読み取った前記活動量である利用者の歩数から消費カロリーを運動量として算出し、予め設定された標準消費カロリーとの比較結果を報知する、請求項１から３までのいずれか１項に記載の健康管理機能付入退室管理システム。
【請求項５】
前記システム携帯端末が、前記活動量検知部として加速度センサおよび圧力センサを搭載し、前記加速度センサの出力変化および前記圧力センサから得られる気圧の変化から、活動量として利用者の上り歩数、平坦歩数、下り歩数を判定してそれぞれ計数し記憶し、
前記管理サーバが、前記健康管理処理として、読み取った前記活動量である利用者の上り歩数、平坦歩数、下り歩数に予め設定された上り、平坦、下りのそれぞれの１歩当りカロリーを掛けた後に加算した消費カロリーを運動量として算出し、予め設定された標準消費カロリーとの比較結果を報知する、請求項１から３までのいずれか１項に記載の健康管理機能付入退室管理システム。
【請求項６】
前記管理サーバが、前記健康管理処理において比較結果を前記入退室管理端末装置から報知させる、請求項１から５までのいずれか１項に記載の健康管理機能付入退室管理システム。
【請求項７】
前記管理サーバが、前記認証処理で認証が成立した時に前記健康管理処理を行う、請求項１から６までのいずれか１項に記載の健康管理機能付入退室管理システム。
【請求項８】
前記管理サーバに、前記システム携帯端末から前記個人認証データおよび前記活動量を読み取り可能な運動療法制御部を備えた運動療法装置が接続され、前記運動療法装置に対して認証成立の際に前記健康管理処理を行う、請求項１から６までのいずれか１項に記載の健康管理機能付入退室管理システム。